(57)【要約】【課題】テレビジョン放送受像機において、受信しているテレビジョン放送にレーティング区分情報が含まれていない場合に、ユーザが無駄な操作を強いられないようにし、快適に使用可能にする。【解決手段】制御部は、まず、表示部にＶ‐Ｃｈｉｐ設定画面が表示された状態で、ユーザによりダウンロード区分設定メニューが選択されると（Ｓ１１）、そのとき受信しているテレビジョン放送にダウンロード区分情報が含まれているかどうかを判断する（Ｓ１２）。このとき、当該放送にダウンロード区分情報が含まれていなければ（Ｓ１２：ＮＯ）、制御部は、メッセージ画面を表示した後（Ｓ２０）、Ｖ‐Ｃｈｉｐ設定画面を再び表示部１３に表示させる（Ｓ２１）。これにより、ダウンロード区分設定を設定することができないにもかかわらずダウンロード区分設定画面が表示されることがなくなり、ユーザは、無駄な操作を強いられることがなくなる。【選択図】図７
2008278295.tif 000002
【特許請求の範囲】
【請求項１】
受信するテレビジョン放送が、番組のレーティング情報及びそのレーティング情報が対応するダウンロード区分情報を含むとき、受像機の制御を行う制御部が、前記ダウンロード区分情報に基づいて予め設定された視聴制限レーティング区分設定及び受信対象番組のレーティング情報に応じて、受信対象番組の視聴制限を行うことができるように構成されているテレビジョン放送受像機であって、
前記制御部が受像機の各種設定を行うための所定の第１設定画面を表示部に表示させた状態で、その第１設定画面の表示を利用して、前記ダウンロード区分設定に基づく視聴制限レーティング区分設定を設定するための第２設定画面を前記表示部に表示させる所定の操作がユーザにより行われたとき、
前記制御部は、そのとき受信しているテレビジョン放送に前記ダウンロード区分情報が含まれていれば、前記第２設定画面を前記表示部に表示させ、前記視聴可能レーティング区分設定を設定可能にし、
そのとき受信しているテレビジョン放送に前記ダウンロード区分情報が含まれていなければ、前記表示部に前記第１設定画面を表示させ、
それにより、前記第２設定画面を前記表示部に表示させる所定の操作が行われたときに受信しているテレビジョン放送に前記ダウンロード区分情報が含まれていない場合に、ユーザが、前記表示部に前記第２設定画面を表示させた状態から前記第１設定画面を表示させた状態にさせる操作を行う必要がないように構成されていることを特徴とするテレビジョン放送受像機。
【請求項２】
前記制御部が前記第１設定画面を前記表示部に表示させた状態で、前記第２設定画面を表示させる所定の操作がユーザにより行われたとき、
前記制御部は、そのとき受信しているテレビジョン放送に前記ダウンロード区分情報が含まれていなければ、その旨を示す所定のメッセージ又は前記ダウンロード区分情報に基づく視聴制限レーティング区分設定を設定不可である旨を示す所定のメッセージを一時的に前記表示部に表示するように構成されていることを特徴とする請求項１記載のテレビジョン放送受像機。
【請求項３】
予め記憶されたプリセット区分情報に基づく視聴制限レーティング区分設定を設定可能に構成されており、
前記プリセット区分情報に基づく視聴制限レーティング区分設定の設定は、前記制御部が前記第１設定画面を前記表示部に表示させた状態で、ユーザが、その第１設定画面の表示を利用してユーザが所定の操作を行うことにより前記表示部に表示される第３設定画面の表示を利用して行うことができるように構成されていることを特徴とする請求項２記載のテレビジョン放送受像機。
【発明の詳細な説明】
【技術分野】
【０００１】
本発明は、受信した番組を、そのテレビジョン放送に含まれるレーティング情報に基づいて視聴制限する機能を有するテレビジョン放送受像機に関する。
【背景技術】
【０００２】
米国等では、従来より、例えばいわゆるＶ‐Ｃｈｉｐ制度に対応したテレビジョン放送等、ユーザにより番組の視聴制限を設定するためのレーティング情報を含んだテレビジョン放送が行われている。例えば特許文献１乃至特許文献３には、このようなレーティング情報を含むテレビジョン放送に対応したテレビジョン放送受像機（以下、ＴＶ受像機と称する）が示されている。このようなレーティング情報に対応したＴＶ受像機は、予め、受信するレーティング情報を分類可能なように、レーティング区分情報を有している。そして、ＴＶ受像機は、受信するテレビジョン放送に含まれるレーティング情報と、予めユーザにより行われた視聴制限レーティング区分設定（以下、区分設定と称する）とに基づき、受信したテレビジョン放送の番組が視聴制限されるべきものであるかどうかを判断する。ＴＶ受像機は、受信した番組が視聴制限されるものでなければ、その番組を画面に表示してユーザが視聴可能な状態にし、他方、視聴制限されるべきものであるときには、その番組を視聴できない状態にするように構成されている。
【０００３】
ところで、近年では、レーティング情報とそのレーティング情報に対応したレーティング区分情報との両方を含めたテレビジョン放送が行われる場合がある。このような放送に対応したＴＶ受像機は、ユーザが、受信したレーティング区分情報に基づいた区分設定を行うことができるように構成されており、テレビジョン放送によっては、例えばより多様な視聴制限を設定することができる。区分設定は、ＴＶ受像機に設定画面を表示させて行うことができるように構成されている。設定画面は、例えば、メインメニュー画面と、メインメニュー画面から個別に選択可能な、区分設定や表示画質設定等を行うための種々のサブメニュー画面とで構成されている。区分設定を行う際には、例えば、メインメニュー画面から区分設定メニューを選択し、区分設定画面を表示させる。そして、区分設定画面において、受信したテレビジョン放送に含まれるレーティング区分情報により区分設定を行うためのメニューを選択し、当該区分情報に基づき区分設定を行うための画面を表示させる。ユーザは、その画面において、例えばリモートコントローラ等を用いて、区分設定を行うことができる。
【０００４】
ここで、区分設定画面から上述のようなレーティング区分情報に基づき区分設定を行うための画面を表示させたとき、その時点で受信しているテレビジョン放送がレーティング区分情報を含んでいなければ、区分設定を行うことができない。このような場合において、例えば視聴制限についての他の設定を行うためには、ユーザは、その画面から区分設定画面に戻る操作を行う必要があり、無駄な操作を強いられて煩わしいという問題がある。なお、特許文献１乃至特許文献３には、このような問題に対し有効な解決策は示されていない。
【特許文献１】特開２０００‐１３４５５４号公報
【特許文献２】特開２００３‐１９８９７４号公報
【特許文献３】特開２００６‐１６６２６３号公報
【発明の開示】
【発明が解決しようとする課題】
【０００５】
本発明は、上記問題点を鑑みてなされたものであり、受信しているテレビジョン放送にレーティング区分情報が含まれていない場合でも無駄な操作を強いられることがなく、快適に使用可能なテレビジョン放送受像機を提供することを目的とする。
【課題を解決するための手段】
【０００６】
上記目的を達成するため、請求項１の発明は、受信するテレビジョン放送が、番組のレーティング情報及びそのレーティング情報が対応するダウンロード区分情報を含むとき、受像機の制御を行う制御部が、前記ダウンロード区分情報に基づいて予め設定された視聴制限レーティング区分設定及び受信対象番組のレーティング情報に応じて、受信対象番組の視聴制限を行うことができるように構成されているテレビジョン放送受像機であって、前記制御部が受像機の各種設定を行うための所定の第１設定画面を表示部に表示させた状態で、その第１設定画面の表示を利用して、前記ダウンロード区分設定に基づく視聴制限レーティング区分設定を設定するための第２設定画面を前記表示部に表示させる所定の操作がユーザにより行われたとき、前記制御部は、そのとき受信しているテレビジョン放送に前記ダウンロード区分情報が含まれていれば、前記第２設定画面を前記表示部に表示させ、前記視聴可能レーティング区分設定を設定可能にし、そのとき受信しているテレビジョン放送に前記ダウンロード区分情報が含まれていなければ、前記表示部に前記第１設定画面を表示させ、それにより、前記第２設定画面を前記表示部に表示させる所定の操作が行われたときに受信しているテレビジョン放送に前記ダウンロード区分情報が含まれていない場合に、ユーザが、前記表示部に前記第２設定画面を表示させた状態から前記第１設定画面を表示させた状態にさせる操作を行う必要がないように構成されているものである。
【０００７】
請求項２の発明は、請求項１の発明において、前記制御部が前記第１設定画面を前記表示部に表示させた状態で、前記第２設定画面を表示させる所定の操作がユーザにより行われたとき、前記制御部は、そのとき受信しているテレビジョン放送に前記ダウンロード区分情報が含まれていなければ、その旨を示す所定のメッセージ又は前記ダウンロード区分情報に基づく視聴制限レーティング区分設定を設定不可である旨を示す所定のメッセージを一時的に前記表示部に表示するように構成されているものである。
【０００８】
請求項３の発明は、請求項２の発明において、予め記憶されたプリセット区分情報に基づく視聴制限レーティング区分設定を設定可能に構成されており、前記プリセット区分情報に基づく視聴制限レーティング区分設定の設定は、前記制御部が前記第１設定画面を前記表示部に表示させた状態で、ユーザが、その第１設定画面の表示を利用してユーザが所定の操作を行うことにより前記表示部に表示される第３設定画面の表示を利用して行うことができるように構成されているものである。
【発明の効果】
【０００９】
請求項１の発明によれば、受信しているテレビジョン放送にダウンロード区分情報が含まれていなければ第２設定画面が表示されず、第１設定画面が表示されるので、ダウンロード区分情報に基づく視聴制限レーティング区分設定を行うことができない状態で第２設定画面が表示部に表示されることがなく、当該視聴制限レーティング区分設定の他の種々の設定を行う場合に、第１設定画面等を表示させ直すことが必要なくなる。従って、ユーザは、無駄な操作を強いられることがなく、テレビジョン放送受像機をより快適に使用可能になる。
【００１０】
請求項２の発明によれば、受信しているテレビジョン放送にダウンロード区分情報が含まれていなければ、その旨等を示すメッセージが表示部に表示されるので、ユーザは、ダウンロード区分情報が含まれておらずそれに基づく視聴制限レーティング区分設定を設定することができないことを容易に理解することができ、テレビジョン放送受像機をさらに快適に使用することができる。
【００１１】
請求項３の発明によれば、第１設定画面の表示を利用して所定の操作が行われることにより表示される第３設定画面の表示を利用して、プリセット区分情報に基づく視聴制限レーティング区分設定を設定することができるので、テレビジョン放送にダウンロード区分情報が含まれていないとき、ユーザは、表示部に第２設定画面を表示させてしまうことなく第３設定画面を表示させて、プリセット区分情報に基づく視聴制限レーティング区分設定を設定することができる。従って、ユーザは、無駄な操作を強いられることがなく、より迅速に、プリセット区分情報に基づく視聴制限レーティング区分設定を設定することができる。
【発明を実施するための最良の形態】
【００１２】
以下、本発明の一実施形態について図面を参照しつつ説明する。図１は、本実施形態に係るテレビジョン放送受像機（以下、ＴＶ受像機と称する）の一例を示す。このＴＶ受像機１は、例えば、いわゆるＶ‐Ｃｈｉｐ２．０制度に対応し、受信したテレビジョン放送の番組の視聴制限を行うことができるものであり、ユーザが外部のリモートコントローラ２を用いて遠隔操作できるように構成されている。ＴＶ受像機１は、チューナ１０と、選局部１１と、信号処理部１２と、表示部１３と、信号分離部１４と、ＴＶ受像機１の動作を制御する制御部１５と、メモリ１６と、受信部１７とを備えている。受信部１７は、リモートコントローラ２から送信された電波を受信可能に構成されている。ユーザがリモートコントローラ２を用いて制御信号を送信すると、その制御信号が受信部１７に受信された後に制御部１５に伝送され、制御部１５が制御信号に基づきＴＶ受像機１の動作を制御する。このように、ユーザは、ＴＶ受像機１の遠隔操作をすることができる。
【００１３】
チューナ１０には、外部のアンテナ（図示せず）からテレビジョン放送の信号が入力される。チューナ１０は、選局部１１により制御され、選局部１１が指定する所望のチャンネルの信号を出力する。選局部１１は、制御部１５により制御され、ユーザがリモートコントローラ２を用いて選択するチャンネルの信号が、チューナ１０から出力されるように構成されている。
【００１４】
信号処理部１２は、例えば映像用のデコーダや音声用のデコーダ等で構成されており、チューナ１０から出力された信号に基づいて、映像情報や音声情報を表示部１３に出力する。表示部１３は、例えば、液晶パネル及び液晶パネルを駆動するドライバや、スピーカ等で構成されており、信号処理部１２から送られた映像情報や音声情報に基づき、ユーザが視聴可能になるように映像表示や音声出力を行う。
【００１５】
信号分離部１４は、チューナ１０から出力されたテレビジョン放送の信号に、映像や音声を示すための情報の他に、例えばＶ‐Ｃｈｉｐ２．０制度等に基づく番組のレーティング情報やそのレーティング情報が対応するダウンロード区分情報が含まれているときに、そのレーティング情報及びダウンロード区分情報を元の信号から分離する。分離されたレーティング情報等は、信号分離部１４から制御部１５に入力される。
【００１６】
制御部１５は、メモリ１６に種々の情報を保存したり、メモリ１６から種々の情報を読み込んだりしつつ、受信するチャンネルの選択等、ＴＶ受像機１の動作を制御するように構成されている。メモリ１６には、表示部１３に種々の設定画面を表示させて、その設定画面においてユーザがＴＶ受像機１の各種設定を行うことができるようにするためのプログラム等が記録されている。すなわち、制御部１５は、例えばユーザの操作に応じて、メモリ１６から読み込んだプログラム等に基づいて種々の設定画面の表示データを信号処理部１２に送信することにより、表示部１３にその設定画面を表示させる。
【００１７】
また、制御部１５は、信号分離部１４から入力された番組のレーティング情報に応じて、受信している番組の視聴可否を判断し、番組の視聴が不可である場合に視聴制限を行うように構成されている。視聴制限は、制御部１５から信号処理部１２にブロック信号が出力され、信号処理部１２から表示部１３への当該番組の映像情報及び音声情報の出力が停止されることにより行われる。視聴可否の判断は、番組のレーティング情報が、予めユーザにより設定された視聴可能レーティング区分設定（以下、区分設定と称する）において、視聴可能とされているレーティングに該当するか、視聴禁止とされているレーティングに該当するかどうかを判断して行われる。
【００１８】
本実施形態において、区分設定として、ダウンロード区分情報に基づく区分設定（以下、ダウンロード区分設定と称する）と、予めＴＶ受像機１に記憶されているプリセット区分情報に基づく区分設定（以下、プリセット区分設定と称する）との２種類の区分設定を設定することができるように構成されている。プリセット区分情報としては、例えば、所定の機関が定めた規格等に基づいた、テレビジョン放送の番組用の区分情報及び映画用の区分情報の２種類の区分情報があり、それぞれメモリ１６に記憶されている。また、ダウンロード区分情報としては、例えば、番組に含まれる暴力や性的事項に関する表現の程度毎にレーティングを設定するための複数の区分と、番組の視聴対象年齢毎にレーティングを設定するための複数の区分との両区分について、それぞれ視聴制限を課すことができるように、プリセット区分情報を定めた所定の機関以外の団体等により定められた区分情報等がある。プリセット区分設定の設定時には、制御部１５がメモリ１６からプリセット区分情報を読み出すことにより、ユーザが、当該ＴＶ受像機１において視聴制限を課すレーティングの区分を設定できるように構成されている。他方、ダウンロード区分設定の設定時には、制御部１５が、受信しているテレビジョン放送の信号に含まれるダウンロード区分情報をメモリ１６に記憶させ、記憶させたダウンロード区分情報をメモリ１６から読み出して、ユーザが、視聴制限を課すレーティングの区分を設定できるように構成されている。
【００１９】
次に、本実施形態におけるＴＶ受像機１の各種設定を行う方法について説明する。図２は、上記の設定画面の一例を示す。図２に示す設定画面は、メインメニュー画面５０であり、ユーザのリモートコントローラ２の操作に応じてメインメニュー画面５０内で移動するカーソル５１と、複数の設定項目メニュー５２の表示を有している。設定項目メニュー５２としては、例えば、表示部１３の色合い、表示パネルの輝度等を設定するための設定画面を表示させるカラー設定メニューや、出力する音声の音質等を設定するための設定画面を表示させる音声設定メニューや、受信可能なチャンネルを選択するための設定画面を表示させるチャンネル設定メニューや、後述するように視聴制限に関する設定を行うための設定画面を表示させるＶ‐Ｃｈｉｐ設定メニュー等が含まれている。ユーザは、通常の番組視聴時等に、リモートコントローラ２を用いてこのメインメニュー画面５０を表示させるための操作を行うことにより、表示部１３にメインメニュー画面５０を表示させる。その後、カーソル５１を、所望の設定項目メニュー５２に対応するように移動させて、当該設定項目メニュー５２を選択する操作を行うことにより、当該設定項目メニュー５２に対応する別の設定画面を表示させ、所望の種々の設定を行うことができる。すなわち、本実施形態において、ＴＶ受像機１の設定は、互いに階層をなすように構成された複数の設定画面を表示部１３に表示させつつ行うことができる。
【００２０】
図３は、上記区分設定等、視聴制限に関する設定を行うためのＶ‐Ｃｈｉｐ設定画面（第１設定画面）の一例を示す。Ｖ‐Ｃｈｉｐ設定画面６０は、メインメニュー画面５０を表示させた状態で、設定項目メニュー５２に含まれるＶ‐Ｃｈｉｐ設定メニューを選択する操作が行われると、制御部１５により表示部１３に表示される。Ｖ‐Ｃｈｉｐ設定画面６０は、ダウンロード区分設定を行うための設定画面を表示させるダウンロード区分設定メニュー（DOWNLOADABLE RATING）６１と、２つのプリセット区分設定をそれぞれ行うための設定画面を表示させる２つのプリセット区分設定メニュー（TV RATING, MPAA RATING）６２，６３と、これら視聴制限に関する設定画面を表示させる際に要求されるパスワードを変更するためのメニュー（CHANGE PASSWORD）６４と、メインメニュー画面５０を再び表示させるためのメニュー（MAIN MENU）６５の表示を有している。ユーザは、Ｖ‐Ｃｈｉｐ設定画面６０を表示させた状態で、カーソル５１を移動させ各メニュー６１，…，６５を選択することにより、各設定画面を表示させることができる。
【００２１】
図４は、ダウンロード区分設定を行うためのダウンロード区分設定画面（第２設定画面）の一例を示す。また、図５は、プリセット区分設定を行うための設定画面（第３設定画面）のうち、例えばテレビジョン放送の番組用のプリセット区分設定を行うためのテレビジョン区分設定画面の一例を示す。図４に示すように、ダウンロード区分設定画面７０は、そのときチューナ１０により受信しているテレビジョン放送に含まれるダウンロード区分情報に基づいたダウンロード区分及び各ダウンロード区分が視聴可能であるかどうかを表示する設定情報からなる視聴制限区分設定表示７１と、Ｖ‐Ｃｈｉｐ設定画面６０を再び表示させるためのメニュー（V-CHIP SET UP）７５との表示を有している。また、図５に示すように、テレビジョン区分設定画面８０は、メモリ１６に予め記憶されたプリセット区分情報に基づいたプリセット区分及び各プリセット区分が視聴可能であるかどうかを表示する設定情報からなる視聴制限区分設定表示８１と、Ｖ‐Ｃｈｉｐ設定画面６０を再び表示させるためのメニュー（V-CHIP SET UP）８５とを有している。ユーザは、各設定画面７０，８０を表示させた状態で、視聴制限区分設定表示７１，８１を参照しつつ、カーソル５１を移動させ、それぞれの区分について視聴制限の有無を変更することにより、ダウンロード区分設定やプリセット区分設定を設定することができる。
【００２２】
ここで、本実施形態において、制御部１５は、Ｖ‐Ｃｈｉｐ設定画面６０においてダウンロード区分設定画面７０を表示させるための上記操作が行われたとき、そのとき受信しているテレビジョン放送にダウンロード区分情報が含まれていなければ、ダウンロード区分設定画面７０を表示させず、一時所定のメッセージを表示部１３に表示させた後、Ｖ‐Ｃｈｉｐ設定画面６０が表示部１３に表示された状態を保つように構成されている。図６は、このとき表示部１３が表示するメッセージ画面９０を示す。メッセージ画面９０は、ダウンロード区分設定を設定不可である旨と、Ｖ‐Ｃｈｉｐ設定画面６０を表示させる旨をユーザに知らせる記載がなされたメッセージ９１を含む。制御部１５は、メモリ１６に予め記憶されているメッセージ画面９０を示す情報を読み込んで、このメッセージ画面９０を表示する。なお、メッセージは、ダウンロード区分情報がテレビジョン放送に含まれていない旨をユーザに知らせるような記載であってもよい。
【００２３】
図７は、Ｖ‐Ｃｈｉｐ設定画面６０においてダウンロード区分設定メニューが選択されたときの制御部１５の動作を示す。制御部１５は、まず、表示部１３にＶ‐Ｃｈｉｐ設定画面６０が表示された状態で、上記のようにユーザによりダウンロード区分設定メニュー６１が選択されると（Ｓ１１）、そのとき受信しているテレビジョン放送にダウンロード区分情報が含まれているかどうかを判断する（Ｓ１２）。このとき、当該放送にダウンロード区分情報が含まれていれば（Ｓ１２：ＹＥＳ）、制御部１５は、ダウンロード区分情報を区分設定に必要なだけダウンロードした後、ダウンロード区分設定画面７０を表示部１３に表示させ、ユーザがダウンロード区分設定を設定可能な状態にする（Ｓ１３）。他方、当該放送にダウンロード区分情報が含まれていなければ（Ｓ１２：ＮＯ）、制御部１５は、メッセージ画面９０を表示部１３に表示させる（Ｓ２０）。そして、制御部１５は、メッセージ画面９０の所定の表示期間（例えば、２．５秒）が経過すると、Ｖ‐Ｃｈｉｐ設定画面６０を再び表示部１３に表示させ（Ｓ２１）、引き続き、ユーザが視聴制限に関する他の設定を行うことができるようにする。なお、ダウンロード区分設定メニュー６１が選択されたとき、制御部１５は、メモリ１６にそのとき受信しているテレビジョン放送に対応するダウンロード区分情報が保存されているかどうかを判断し、それにより、当該放送にダウンロード区分情報が含まれているかどうかを判断するように構成されていてもよい。
【００２４】
このように、本実施形態においては、受信しているテレビジョン放送にダウンロード区分情報が含まれていなければダウンロード区分設定画面７０が表示されず、自動的にＶ‐Ｃｈｉｐ設定画面６０を表示した状態になるので、ダウンロード区分設定を設定することができない状態でダウンロード区分設定画面７０が表示部１３に表示されなくなる。従って、その後に視聴制限に関する他の設定を行う場合に、わざわざ、ダウンロード区分設定画面７０においてＶ‐Ｃｈｉｐ設定画面６０を表示させ直すことが必要なくなるので、ユーザは、無駄な操作を強いられることがなくなり、ＴＶ受像機１をより快適に使用することができる。また、ダウンロード区分情報が含まれていなければ、メッセージ画面９０が表示部１３に表示されるので、ユーザは、ダウンロード区分情報が含まれておらずダウンロード区分設定を設定することができないことを容易に理解することができ、ＴＶ受像機１をさらに快適に使用することができる。
【００２５】
なお、本発明は上記実施形態の構成に限定されるものではなく、発明の趣旨を変更しない範囲で適宜に種々の変形が可能である。例えば、制御部は、ダウンロード区分設定メニューが選択されたとき、メッセージ画面を表示せず、そのままＶ‐Ｃｈｉｐ設定画面が表示された状態を保持するように構成されていてもよい。また、制御部は、例えばＶ‐Ｃｈｉｐ設定画面を表示させた状態で、そのＶ‐Ｃｈｉｐ設定画面の一部にダウンロード区分情報が含まれておらずダウンロード区分設定を行うことができない旨のメッセージを一時表示するように構成されていてもよい。
【図面の簡単な説明】
【００２６】
【図１】本発明の一実施形態に係るテレビジョン放送受像機の一例を示すブロック図。
【図２】上記受像機の表示部に表示されるメインメニュー画面を示す平面図。
【図３】上記受像機の表示部に表示されるＶ‐Ｃｈｉｐ設定画面を示す平面図。
【図４】上記受像機の表示部に表示されるダウンロード区分設定画面を示す平面図。
【図５】上記受像機の表示部に表示されるプリセット区分設定画面を示す平面図。
【図６】上記受像機の表示部に表示されるメッセージ画面を示す平面図。
【図７】上記受像機のダウンロード区分設定メニュー選択時の制御部の動作を説明するフローチャート。
【符号の説明】
【００２７】
１  テレビジョン放送受像機
２  リモートコントローラ
１３  表示部
１５  制御部
６０  Ｖ‐Ｃｈｉｐ設定画面（第１設定画面）
７０  ダウンロード区分設定画面（第２設定画面）
８０  プリセット区分設定画面（第３設定画面）
９０  メッセージ画面
９１  メッセージ
【図１】
2008278295.tif 000003
【図２】
2008278295.tif 000004
【図３】
2008278295.tif 000005
【図４】
2008278295.tif 000006
【図５】
2008278295.tif 000007
【図６】
2008278295.tif 000008
【図７】
2008278295.tif 000009